(57)【要約】【課題】画面の文字や画像情報が見難い場合に適切な大きさで表示することができる表示装置を提供する。【解決手段】実施形態によれば、表示装置は、画像を表示する画面と、前記画面に対する視聴者の位置を検出する位置検出手段と、前記画面を複数の表示領域に分割し、前記視聴者の位置に応じて拡大率の異なる画像を複数の前記表示領域に表示する表示制御手段とを有する。前記表示制御手段は、前記画面からの距離が大きい視聴者がいる側の前記表示領域に拡大率の大きい画像を表示する。【選択図】図８
2015056019.tif 000002
【特許請求の範囲】
【請求項１】
画像を表示する画面と、
前記画面に対する視聴者の位置を検出する位置検出手段と、
前記画面を複数の表示領域に分割し、前記視聴者の位置に応じて拡大率の異なる画像を複数の前記表示領域に表示する表示制御手段と
を有する表示装置。
【請求項２】
前記表示制御手段は、前記画面からの距離が大きい視聴者がいる側の前記表示領域に拡大率の大きい画像を表示する請求項１に記載された表示装置。
【請求項３】
前記表示制御手段は、前記画面からの距離が大きい視聴者がいる側の反対側の前記表示領域に全体画像の縮小画像を表示する請求項１に記載された表示装置。
【請求項４】
前記画面からの距離が大きい視聴者がいる側の表示領域は、前記画面からの距離が大きい視聴者がいる側の反対側の表示領域より大きい表示領域を含む請求項２または請求項３に記載された表示装置。
【請求項５】
前記表示制御手段は、前記全体画像の縮小画像の中に拡大表示される部分を指示する拡大位置枠線を表示する請求項３に記載された表示装置。
【請求項６】
画像を表示する画面に対する視聴者の位置を検出する位置検出ステップと、
前記画面を複数の表示領域に分割し、前記視聴者の位置に応じて拡大率の異なる画像を複数の前記表示領域に表示する表示ステップと
を有する表示方法。
【請求項７】
前記表示ステップにおいて、前記画面からの距離が大きい視聴者がいる側の前記表示領域に拡大率の大きい画像を表示する請求項６に記載された表示方法。
【発明の詳細な説明】
【技術分野】
【０００１】
本発明の実施形態は、表示装置および表示方法に関する。
【背景技術】
【０００２】
近年、表示装置の画像の表示状態を視聴者が見易い状態となるように、表示装置に対する視聴者の位置を検出して視聴者が見易い表示状態となるように自動的に調整する表示装置が考案されている。
【先行技術文献】
【特許文献】
【０００３】
【特許文献１】特開２００３−２７１２８４号公報
【発明の概要】
【発明が解決しようとする課題】
【０００４】
液晶表示パネルやＰＤＰ（Plasma Display Panel）などの表示パネルを用いた薄型テレビの画面の大型化が進展し、６０型（有効可視領域の対角長が６０インチ）以上の薄型テレビも多数商品化されている。また、大型化と共に高精細化が進み、画素数が１９２０×１０８０画素のフルハイビジョンが一般化し、さらに画素数が３８４０×２１６０画素の４Ｋ-ＵＨＤ（Ultra High Definition）と言われる表示パネルが市場に投入され始めた。
【０００５】
大画面化と高精細化によって画面に多数の文字情報が表示できるようになった。一方で視聴者によっては画面から離れた位置で画面を見た場合には、小さな文字が見難い場合がある。このような場合には視聴者は画面に近づかなければならず、面倒である。
【０００６】
本発明の目的は、上記したような事情に鑑み成されたものであって、画面の文字や画像情報が見難い場合に適切な大きさで表示することができる表示装置を提供することである。
【課題を解決するための手段】
【０００７】
上記目的を達成するために、実施形態によれば、表示装置は、画像を表示する画面と、前記画面に対する視聴者の位置を検出する位置検出手段と、前記画面を複数の表示領域に分割し、前記視聴者の位置に応じて拡大率の異なる画像を複数の前記表示領域に表示する表示制御手段とを有する。
【図面の簡単な説明】
【０００８】
【図１】実施形態に係る表示装置の外観斜視図。
【図２】実施形態に係る表示装置の構成を示したブロック図。
【図３】表示装置と人物Ｐ１、Ｐ２の位置関係の一例を示した図。
【図４】実施形態に係わるリモコンの外観図。
【図５】画面を４個の領域に分割した例を示した図。
【図６】画面を４個の領域に分割した別の例を示した図。
【図７】画面全体に全体画像を表示した通常の表示状態を示した図。
【図８】領域Ａに全体画像の縮小画像を表示し、領域Ｄに拡大画像を表示した例を示した図。
【図９】領域Ａに全体画像の縮小画像を表示し、領域Ｄに拡大画像を表示した例を示した図。
【図１０】領域Ａに全体画像の縮小画像を表示し、領域Ｄに拡大画像を表示した例を示した図。
【図１１】領域Ｌに全体画像の縮小画像を表示し、領域Ｋに拡大画像を表示した例を示した図。
【図１２】拡大表示処理の動作手順を示したフローチャート。
【発明を実施するための形態】
【０００９】
以下実施形態について図面を参照しながら説明する。図１は、実施形態に係る表示装置１の外観斜視図である。表示装置１の実施形態として、デジタルテレビを一例として説明する。表示装置１は、デジタル放送を受信し、受信した放送番組（コンテンツ）の映像データ及び音声データの記録および再生が可能であって、画面にコンテンツの映像を表示するデジタルテレビ、ＰＣ（Personal Computer）や携帯端末等の映像記録再生装置である。
【００１０】
表示装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１１】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１２】
リモコン８は赤外線あるいはBluetooth（登録商標）等による無線通信を利用して、表示装置１の操作受信部へ操作信号を送る操作機器である。
【００１３】
カメラ９ａが前面カバー５の左側上部に設けられ、カメラ９ｂが前面カバー５の右側上部に設けられている。カメラの位置は上部である必要はなく、前面カバー５の左右の側の中央部や下部に設置されても構わない。また、本体２内に内蔵されない外付けのカメラであってもよい。カメラ９ａ、９ｂは、表示装置１の前面側に存在する人物の画像を撮影することができる。
【００１４】
図２は、実施形態に係る表示装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理モジュール１４に出力される。また、復調器１３は、ネットワーク送受信モジュール２９を介してインターネット等のネットワーク３０から受信したＩＰ放送を復調する。
【００１６】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
重畳処理モジュール１５は、デコード処理モジュール１４からの映像データと、バス２０を介して転送されるデータ放送やＧＵＩ（Graphical User Interface）情報によるウィンドー描画をプレーン管理して、映像データとの重ね合わせを行い、映像処理モジュール１６に送る。
【００１８】
映像処理モジュール１６は、表示モジュール１７で表示可能なフォーマット（画素数、フレーム周波数、走査方式）に変換したり、表示色を任意に調整したりして、表示モジュール１７に出力して映像を画面７に表示させる。
【００１９】
音声処理モジュール１８は、デコード処理モジュール１４から伝送されたデジタルの音声データを、スピーカ１９あるいはイヤホン（図示しない）で再生可能なアナログ音声信号に変換した後、スピーカ１９あるいはイヤホンに出力して音声を再生させる。
【００２０】
表示装置１は、上記した受信動作を含むその全ての動作を制御モジュール２１によって統括的に制御されている。制御モジュール２１はＭＰＵ（Micro Processing Unit）２２が搭載されており、バス２０を介して接続された各構成要素を制御する。
【００２１】
ＲＡＭ（Random Access Memory）２３は、制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２２】
フラッシュメモリ２５は、書き換え可能であり、電源を切ってもデータが消えない不揮発性のメモリである。フラッシュメモリ２５は、利用者によって設定された表示装置１の機能及び動作に関する各種設定値を記憶する機能を有する。
【００２３】
操作受信モジュール２６は、操作機器２７から送信される操作信号を受信し、制御モジュール２１に転送する。操作機器２７は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２６は、これらリモコン８やキーボード等から操作信号を受信する。
【００２４】
カメラ映像処理モジュール２８は、カメラ９ａ、９ｂの撮影データを受信して、画像処理を行う。画像処理された画像データは、制御モジュール２１に送信され、制御モジュール２１において、例えば、既知の人物認証や顔認証等による認証方法によって撮影された人物の位置やあるいは人物を特定する。
【００２５】
カメラ９ａ、９ｂは静止画像でも動画像でもよい。静止画像の場合には、カメラ９ａ、９ｂが、撮影するタイミングは、例えば、画面７に画像が表示されているときに所定時間の間隔で撮影する。所定時間は、例えば、３０秒とか１分であり、利用者が設定できる。所定時間毎にカメラ９ａ、９ｂが表示装置１の前面側に存在する人物の画像を撮影し、この撮影によって特定された人物の位置によって、画面の文字や画像情報が見難い場合に適切な大きさで表示するようにする。動画像の場合には、例えば所定時間の間隔で画像フレームをサンプリングして、人物の位置を特定するようにすればよい。
【００２６】
表示装置１は、ネットワーク送受信モジュール２９を介してインターネット等のネットワーク３０に接続されている。これにより、表示装置１は、ネットワーク３０上にあるサーバ３１等の機器とネットワーク送受信モジュール２９を介して情報伝送を行なうことができる。ネットワーク端子２９ａはネットワーク３０が接続される端子である。ネットワーク送受信モジュール２９とネットワーク３０の接続は有線だけでなく、例えば、ＩＥＥＥ８０２．１１シリーズの通信方式を用いた無線ＬＡＮ等の無線接続であってもよい。
【００２７】
図２において、制御モジュール２１は、位置検出モジュール３２、表示モジュール３３の機能を有する。これらの機能は、制御モジュール２１のＭＰＵ２２が実行するアプリケーションであり、通常はＲＯＭ２４に格納されており、使用時にはＭＰＵ２２によって読み出され実行される。
【００２８】
位置検出モジュール３２は、カメラ映像処理モジュール２８から送信された画像データに基づいて、例えば、既知の人認証や既知の顔認証等による認証方法によって画面７に対する視聴者の位置やあるいは人物を特定する。
【００２９】
図３は、表示装置１と人物Ｐ１、Ｐ２の位置関係の一例を示した図である。表示装置１と人物Ｐ１、Ｐ２を上から見た状態を示す。カメラ９ａ、９ｂは、それぞれ人物Ｐ１、Ｐ２を撮影し、カメラ映像処理モジュール２８において、画像処理が行われる。画像処理された画像データは、制御モジュール２１に送信され、制御モジュール２１の位置検出モジュール３２において、例えば、既知の人物認証や顔認証等による認証方法によって人物であることや人物を特定し、更に人物の画面７に対する人物の位置を検出する。
【００３０】
図３においては、位置検出モジュール３２は、人物Ｐ１とカメラ９ａの距離が距離Ｋ１であり、人物Ｐ１とカメラ９ｂの距離がＫ２であることから、人物Ｐ１と画面７の距離が距離Ｍ１であり、人物Ｐ１から画面７に至る垂線の足と画面７のほぼ中心との距離が距離Ｎ１であることを検出する。同様に、人物Ｐ２とカメラ９ｂの距離が距離Ｌ１であり、人物Ｐ２とカメラ９ｂの距離がＬ２であることから、人物Ｐ２と画面７の距離が距離Ｍ２であり、人物Ｐ２から画面７に至る垂線の足と画面７のほぼ中心との距離が距離Ｎ２であることを検出する。
【００３１】
また、人物Ｐ１は画面７のほぼ中心における法線３５の左側に存在し、人物Ｐ２は法線３５の右側に存在することを検出する。Ｍ１よりＭ２が大きいため画面７から遠い位置における人物はＰ２であることを検出する。位置検出モジュール３２は、位置検出データをフラッシュメモリ２５に記憶する。
【００３２】
なお、図１、図２において、カメラ２台を前面カバー５の左右上部に搭載しているが、複数の人物の画面７に対する距離だけを判定する場合には、カメラ１台を前面カバー５の中央上部または中央下部に搭載するようにしてもよい。１台のカメラで複数の人物の距離を検出には時間を要するが可能である。
【００３３】
表示モジュール３３は、画面７を複数の表示領域に分割し、位置検出モジュール３２によって検出された人物の位置データに基づいて、視聴者の位置に応じて拡大率の異なる画像を複数の表示領域に表示する機能を有する。また、表示モジュール３３は、画面からの距離が大きい視聴者がいる側の表示領域に拡大率の大きい画像を表示する。表示モジュール３３の機能の詳細は後述する。
【００３４】
図４は、実施形態に係わるリモコン８の外観図である。リモコン８は赤外線あるいはBluetooth（登録商標）等による無線通信を利用して、表示装置１の操作受信モジュール２６へ操作信号を送る。電源ボタン４０は、表示装置１の電源をオンまたはオフする。詳細には表示装置１を待機状態から動作状態、または動作状態から待機状態にするボタンである。放送波選択ボタン４１は、放送の種類を選択する操作ボタンである。
【００３５】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、コンテンツを視聴するときのスピーカの音量を調整するボタンである。
【００３６】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は、十字ボタンまたは方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３７】
番組表ボタン４７は、番組表を画面７に表示するときに操作する専用の操作ボタンである。メニューボタン４８は、表示装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３８】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは上方向あるいは次の画面、５１ｄは下方向あるいは前の画面を選択したり移動したりするときに操作する。また、選択された機能によってはカーソルボタン４５の補助としてカーソルの移動や各種項目の選択ボタンの移動を行う場合もある。
【００３９】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。
【００４０】
表示モジュール３３は、画面７全体に画像を表示する場合と、視聴者が拡大表示機能を有効とした場合に画面７を複数の表示領域に分割し、視聴者の位置に応じて拡大率の異なる画像を複数の表示領域に表示する。
【００４１】
図５は、画面７を４個の領域に分割した例を示した図である。左上側の領域が領域Ａ６０、左下側の領域が領域Ｂ６１、右上側の領域が領域Ｃ６２、右下側の領域が領域Ｄ６３である。図５の例では、領域Ａ６０は画面７のほぼ４分の１（面積は１６分の１）であり、画面７とほぼ相似形である。領域Ｄ６３は画面７のほぼ４分の３（面積の１６分の９）であり、画面７とほぼ相似形である。領域Ｂ６１は画面７の面積の１６分の３であり、画面７と非相似である。また、領域Ｃ６２は画面７の面積の１６分の３であり、画面７と非相似である。なお領域Ａ６０、領域Ｄ６３の画面７の対する大きさは４分の１、４分の３である必要はなく適宜決めればよい。上下方向中心線３６は画面７のほぼ中心において法線３５と交差し、画面７を左右２等分する中心線である。左右方向中心線３７は画面７のほぼ中心において法線３５と交差し、画面７を上下２等分する中心線である。
【００４２】
図６は、画面７を４個の領域に分割した別の例を示した図である。上側の領域が領域Ｅ６５、左側中央部の領域が領域Ｆ６６、下側の領域が領域Ｆ６７、右中央部の領域が領域Ｈ６８である。図６の例では、領域Ｆ６６は画面７のほぼ４分の１（面積は１６分の１）であり、画面７とほぼ相似形である。領域Ｈ６８は画面７のほぼ４分の３（面積の１６分の９）であり、画面７とほぼ相似形である。領域Ｅ６５は画面７の面積の１６分の３であり、画面７と非相似である。また、領域Ｇ６７は画面７の面積の１６分の３であり、画面７と非相似である。なお領域Ｆ６６、領域Ｈ６８の画面７の対する大きさは４分の１、４分の３である必要はなく適宜決めればよい。
【００４３】
図７は、画面７全体に全体画像を表示した通常の表示状態を示した図である。全体画像とは、画面７全体に表示された元の大きさの画像のことである。画面７に表示される全体画像は静止画でも動画でもよい。図８、図９、図１０は、領域Ａ６０に全体画像の縮小画像を表示し、領域Ｄ６３に拡大画像を表示した例を示した図である。図５に示した分割様式を用いた状態である。領域Ｄ６３に表示される拡大画像は、全体画像の一部分の拡大画像である。領域Ｂ６１または領域Ｃ６２には拡大位置、拡大率の変更方法や、拡大表示の終了方法を示した文字情報が表示される。この場合領域Ｂ６１または領域Ｃ６２には画像は表示されていない。
【００４４】
図８において、領域Ａ６０に表示された縮小画像の全体画像に対する拡大率は４分の１である。領域Ａ６０は画面７のほぼ４分の１（面積は１６分の１）である。領域Ｄ６３に表示される画像は、領域Ａ６０の中に表示された拡大位置枠線６４の内側の部分が拡大された画像である。拡大位置枠線６４は、全体画像の縮小画像の中に表示され、領域Ｄ６３に拡大表示される部分を指示する枠線である。図８において、拡大位置枠線６４の領域の大きさは、領域Ａ６０の２分の１の領域である。図８において、領域Ｄ６３の画像の、図７で示した画面７の全体画像に対する拡大率は１．５倍である。領域Ｄ６３には全体画像を１．５倍した画像の一部分が表示されている。
【００４５】
拡大画像の表示は、リモコン８の拡大表示ボタン５３を押下することにより実行される。またメニューボタン４８を押下し、階層表示された複数の項目の中から拡大表示を選択しても実行される。終了する場合は終了ボタン５０を押下する。
【００４６】
図９は、拡大位置枠線６４を移動したときの領域Ｄ６３に表示される拡大画像の例を示した図である。拡大位置枠線６４を図８に示した位置から図９に示した位置に移動すると、これに伴って、領域Ｄ６３に表示される拡大画像も移動する。リモコン８のカーソルボタン４５を操作することによって拡大位置枠線６４を移動することができる。全体画像の縮小画像の中で拡大する部分が分かるので便利である。この機能は特に地図情報を見るようなときに便利である。カーソルボタン４５の１回の押下によって拡大位置枠線６４が移動する距離を視聴者が設定できる。
【００４７】
図１０は、拡大率を変更したときの領域Ｄ６３に表示される拡大画像の例を示した図である。領域Ｄ６３の拡大画像の拡大率を変更する場合は、リモコン８の補助カーソルボタン５１ｃまたは５１ｄを押下する。拡大率を大きくする場合は５１ｃ、拡大率を小さくする場合は５１ｄを押下する。
【００４８】
例えば、図９に示した状態で５１ｃを押下すると、拡大位置枠線６４が、図１０に示すように、さらに２分の１の大きさになり、領域Ａ６０の４分の１（面積は１６分の１）の領域になる。変更後の最初の位置は、図９で示した拡大位置枠線６４の左上部分の位置となる。図１０において、カーソルボタン４５を操作して拡大位置枠線６４を移動することにより、他の部分の拡大画像を見ることができる。図１０において、領域Ｄ６３の拡大画像の、図７で示した画面７の全体画像に対する拡大率は３倍である。
【００４９】
図１１は、領域Ｌ７１に全体画像の縮小画像を表示し、領域Ｋ７０に拡大画像を表示した例を示した図である。領域Ｋ７０に表示される拡大画像は、全体画像の一部分の拡大画像である。領域Ｊ６９または領域Ｍ７２には拡大位置、拡大率の変更方法や、拡大表示の終了方法を示した文字情報が表示される。この場合領域Ｊ６９または領域Ｍ７２には画像は表示されていない。
【００５０】
表示モジュール３３は、画面からの距離が大きい視聴者がいる側の表示領域に拡大率の大きい画像を表示する。図３を例とすると、位置検出モジュール３２は、人物Ｐ１は画面７のほぼ中心における法線３５の左側に存在し、人物Ｐ２は右側に存在することを検出し、画面７から遠い位置における人物はＰ２であることを検出する。従って表示モジュール３３は、図８に示したように画面７の右側に拡大画像を表示させるために、領域Ａ６０に全体画像の縮小画像を表示させ、領域Ｄ６３に拡大画像を表示させる。
【００５１】
画面７から遠い位置における人物が画面７の左側に存在した場合には、図１１に示したように画面７の左側に拡大画像が表示させるために、領域Ｌ７１に全体画像の縮小画像を表示し、領域Ｋ７０に拡大画像を表示させる。また視聴者が一人の場合は、視聴者が存在する側に拡大画像を表示させる。
【００５２】
図１２は、拡大表示処理の動作手順を示したフローチャートである。拡大表示処理は視聴者がリモコン８の拡大表示ボタン５３を押下するか、またはメニューボタン４８を押下して拡大表示を選択、実行したときから開始される。
【００５３】
Ｓ１１において、表示モジュール３３は、フラッシュメモリ２５から位置検出データを取得する。Ｓ１２において、表示モジュール３３は、画面７の左右のどちらの側に画面７から離れた人物がいるか判定する。右側の人物が離れていればＳ１３へ進み、右側の人物が離れていないならばＳ１４へ進む。
【００５４】
Ｓ１３において、表示モジュール３３は、右側が拡大表示の詳細画面表示情報作成し、Ｓ１５において、右側に拡大画像が配置されるように表示させる。一方、Ｓ１４において、表示モジュール３３は、左側が拡大表示の詳細画面表示情報作成し、Ｓ１５において、左側に拡大画像が配置されるように表示させる。表示した後はＳ１１へ戻ってループ処理を行う。
【００５５】
Ｓ２０において、位置検出モジュール３２は、位置検出処理を開始する。Ｓ２１において位置検出モジュール３２は、カメラ映像処理モジュール２８が、カメラ画像を取り込んで画像処理を施した画像データを取得する。
【００５６】
Ｓ２２において、位置検出モジュール３２は、既知の人物認証や顔認証等による認証方法によって撮影された人物の位置やあるいは人物を検出する。Ｓ２３において、位置検出モジュール３２は、位置検出データをフラッシュメモリ２５に記憶させる。さらにＳ２１へ戻って一定の間隔で位置検出データを取得し更新する。
【００５７】
このようにすることによって、画面７から離れた位置で視聴する視聴者が画面の文字や画像情報が見難い場合に、拡大表示の機能を用いることによって、適切な大きさで表示することができる。
【００５８】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００５９】
１…表示装置、７…画面、８…リモコン、９ａ、９ｂ…カメラ、１２…チューナ、１３…復調器、１４…デコード処理モジュール、１５…重畳処理モジュール、１６…映像処理モジュール、１７…表示モジュール、２１…制御モジュール、２２…ＭＰＵ、２３…ＲＡＭ、２４…ＲＯＭ、２５…フラッシュメモリ、２６…操作受信モジュール、２７…操作機器、２８…カメラ映像処理モジュール、２９…ネットワーク送受信モジュール、３０…ネットワーク、３１…サーバ、３２…位置検出モジュール、３３…表示モジュール、３５…法線、３６…上下方向中心線、３７…左右方向中心線、４５ａ、４５ｂ、４５ｃ、４５ｄ…カーソルボタン、４６…決定ボタン、４８…メニューボタン、５０…終了ボタン、５１ａ、５１ｂ、５１ｃ、５１ｄ…補助カーソルボタン、５３…拡大表示ボタン、６０…領域Ａ、６１…領域Ｂ、６２…領域Ｃ、６３…領域Ｄ、６４…拡大位置枠線、６５…領域Ｅ、６６…領域Ｆ、６７…領域Ｇ、６８…領域Ｈ、６９…領域Ｊ、７０…領域Ｋ、７１…領域Ｌ、７２…領域Ｍ。
【図１】
2015056019.tif 000003
【図２】
2015056019.tif 000004
【図３】
2015056019.tif 000005
【図４】
2015056019.tif 000006
【図５】
2015056019.tif 000007
【図６】
2015056019.tif 000008
【図７】
2015056019.tif 000009
【図８】
2015056019.tif 000010
【図９】
2015056019.tif 000011
【図１０】
2015056019.tif 000012
【図１１】
2015056019.tif 000013
【図１２】
2015056019.tif 000014